(57)【要約】      （修正有） 【課題】四輪フリーのキャスター付き台車の複数台を連結して容易にけん引可能にし、けん引専用台車や乗せ変え専用台車を用意せずに対応でき、そして、台車に凡用性を向上させてコスト削減を図る。 【解決手段】台車３０の台車枠３１に向かい合う側においてそのキャスター・キャッチ・ハンド１１の根元からその二叉キャスター・キャッチ２０の根元側に伸び、支持軸１３でそのキャスター・キャッチ・ハンド１１のその根元に回転可能に連結されて上下方向に揺動可能にされ、台車枠３１にそのキャスター・キャッチ・ハンド１１を取り付け可能にするフック１２と、フック・リターン・スプリングと、そのフック１２の根元に固定的に連結されてその台車３０のそのキャスター３２にそのキャスター・キャッチ・ハンド１１をはめ外し、そして、その台車枠３１にそのフック１２を掛け外すハンドル・レバー１５とを含む。 【選択図】図５
2005306128.tif 000002
【特許請求の範囲】
【請求項１】
先端に二叉キャスター・キャッチを有し、そして、その二叉キャスター・キャッチに台車のキャスターをはめ込み可能にするＬ字形キャスター・キャッチ・ハンドと、その台車の台車枠に向かい合う側においてそのキャスター・キャッチ・ハンドの根元からその二叉キャスター・キャッチの根元側に伸び、支持軸でそのキャスター・キャッチ・ハンドのその根元に回転可能に連結されて上下方向に揺動可能にされ、そして、その台車枠に差し込まれてその台車枠にそのキャスター・キャッチ・ハンドを取り付け可能にするフックと、その支持軸に支持されて一端をそのキャスター・キャッチ・ハンドに、他端をそのフックにそれぞれ止めるフック・リターン・スプリングと、そのフックの根元に固定的に連結されてその台車のそのキャスターにそのキャスター・キャッチ・ハンドをはめ外し行い、そして、その台車枠にそのフックを掛け外し行うハンドル・レバーとを含む台車に用いるキャスター振れ止め装置。 
【発明の詳細な説明】
【技術分野】
【０００１】
この発明は、台車に用いるキャスター振れ止め装置に関する。 
【背景技術】
【０００２】
通常、台車は４個のキャスターが自由に走行を変えられて狭い場所への移動が容易にされ、そして、そのような狭い場所で作業に便利にされるのが一般である。 
そのような四輪フリーのキャスター付き台車が２輌、３輌、さらには多数車輌連結されてけん引される際、２輌目以降の台車のキャスターに方向が定まらずその台車が自由に動いてけん引できなくなる不具合が生ずる。 
【発明の開示】
【発明が解決しようとする課題】
【０００３】
この発明の課題は、四輪フリーのキャスター付き台車の複数車輌を連結して容易にけん引可能にし、けん引専用台車や乗せ変え専用台車を用意せずに対応でき、そして、台車に凡用性を向上させてコスト削減を図るところの台車に用いるキャスター振れ止め装置の提供にある。 
【課題を解決するための手段】
【０００４】
この発明は、先端に二叉キャスター・キャッチを有し、そして、その二叉キャスター・キャッチに台車のキャスターをはめ込み可能にするＬ字形キャスター・キャッチ・ハンドと、その台車の台車枠に向かい合う側においてそのキャスター・キャッチ・ハンドの根元からその二叉キャスター・キャッチの根元側に伸び、支持軸でそのキャスター・キャッチ・ハンドのその根元に回転可能に連結されて上下方向に揺動可能にされ、そして、その台車枠に差し込まれてその台車枠にそのキャスター・キャッチ・ハンドを取り付け可能にするフックと、その支持軸に支持されて一端をそのキャスター・キャッチ・ハンドに、他端をそのフックにそれぞれ止めるフック・リターン・スプリングと、そのフックの根元に固定的に連結されてその台車のそのキャスターにそのキャスター・キャッチ・ハンドをはめ外し行い、そして、その台車枠にそのフックを掛け外し行うハンドル・レバーとを含み、そして、その台車の四輪フリーの内で１個のキャスターの走行方向を進行方向に規制し、そして、その台車の複数車輌を連結して容易にけん引可能にする。 
【発明の効果】
【０００５】
この発明では、台車の四輪フリーの内で１個のキャスターの走行方向がワンタッチで進行方向に規制でき、その台車の複数車輌を連結して容易にけん引可能になり、けん引専用台車や乗せ変え専用台車を用意せずにその台車で対応でき、その台車に凡用性が向上されてコスト削減が図られ、そして、トラックに荷物を積み降ろしする作業や狭い場所で行われる作業が容易になる。 
【発明を実施するための最良の形態】
【０００６】
そのキャスター・キャッチ・ハンドが、先端に二叉キャスター・キャッチを有してＬ字形に作られ、フックが板状舌に作られ、台車の台車枠に向かい合う側においてそのキャスター・キャッチ・ハンドの根元からその二叉キャスター・キャッチの根元側に先端を伸ばし、支持軸でそのキャスター・キャッチ・ハンドのその根元に回転可能に連結されて上下方向に揺動可能にされ、そして、その台車枠に差し込まれてその台車枠にそのキャスター・キャッチ・ハンドを取り付け可能にし、フック・リターン・スプリングが、巻数の少ないコイル・スプリングを用い、その支持軸に支持されて一端をそのキャスター・キャッチ・ハンドに、他端をそのフックにそれぞれ掛け止めし、そして、常態でそのキャスター・キャッチ・ハンド側にそのフックを倒してそのキャスター・キャッチ・ハンドにそのフックを寄せ、そして、ハンドル・レバーが、長いロッドから作られてそのフックの根元に溶接され、作業員が立ったままでその台車のキャスターにそのキャスター・キャッチ・ハンドをはめ外し行い易く、そして、その台車枠にそのフックを掛け外し行い易くする。 
【実施例１】
【０００７】
以下、特定されて図示された具体例に基づいて、この発明の台車に用いるキャスター振れ止め装置を説明するに、図１ないし図７は、工場で４個のキャスター３２が走行方向を自由に変えられる台車３０、所謂、四輪フリーのキャスター付き台車３０の４、５輌を連結し、そして、補給部品を乗せてけん引する際に活用されるところのこの発明の台車に用いるキャスター振れ止め装置の具体例１０を示し、そして、このキャスター振れ止め装置１０では、Ｌ字形キャスター・キャッチ・ハンド１１が、先端に二叉キャスター・キャッチ２０を有し、そして、その二叉キャスター・キャッチ２０にその台車３０のキャスター３２をはめ込み可能にし、また、フック１２が、その台車３０の台車枠３１に向かい合う側においてそのキャスター・キャッチ・ハンド１１の根元からその二叉キャスター・キャッチ２０の根元側に伸び、支持軸１３でそのキャスター・キャッチ・ハンド１１のその根元に回転可能に連結されて上下方向に揺動可能にされ、そして、その台車枠３１に差し込まれてその台車枠３１にそのキャスター・キャッチ・ハンド１１がを取り付け可能にし、さらに、フック・リターン・スプリング１４が、その支持軸１３にはめ合わせられて支持され、そして、一端でそのキャスター・キャッチ・ハンド１１のその根元側に、他端でそのフック１２の先端側にそれぞれ掛け止めされ、またさらに、ハンドル・レバー１５が、そのフック１２の根元に固定的に連結されてその台車３０のそのキャスター３２にそのキャスター・キャッチ・ハンド１１をはめ外し行い、そして、その台車枠３１にそのフック１２を掛け外し行う。 
【０００８】
そのＬ字形キャスター・キャッチ・ハンド１１は、その二叉キャスター・キャッチ２０およびその二叉キャスター・キャッチ２０の根元に溶接されたアーム２１でＬ字形に作られる。 
その二叉キャスター・キャッチ２０は、所定の形状、寸法の鋼板片を略Ｕ字形に曲げ加工され、そして、そのアーム２１は、所定の太さ、寸法の鋼棒片を略長方形リング２２に曲げ加工され、その二叉キャスター・キャッチ２０のその根元に起立され、その長方形リング２２の短辺２３、２３の一方でその二叉キャスター・キャッチ２０のその根元に溶接されてそのＬ字形キャスター・キャッチ・ハンド１１の根元側を形成し、その支持軸１３にその長方形リング２２のその短辺２３、２３の他方を活用する。 
【０００９】
そのフック１２は、所定の厚さの鋼板から所定の形状、寸法に打ち抜かれ、そして、それの表面に先端を僅かに反らせた板状舌に成形され、そして、その板状舌１２の裏面に軸受プレート２５を溶接する。 
このフック１２は、その台車３０の台車枠３１にその表面を向かい合わせてその支持軸１３に活用されるその略長方形リング２２のその他方の短辺２３に上下方向に揺動可能に支持される。 
【００１０】
そのフック・リターン・スプリング１４は、コイル・スプリングが用いられ、そして、その支持軸１３のまわりにはめ合わせられて支持され、そして、一端をその略長方形リング２２の長辺２４、２４の一方に、他端をそのフック１２にそれぞれ掛け止めして常態で、そのキャスター・キャッチ・ハンド１１のその根元側を構成するその略長方形リング２２の前面にそのフック１２を倒して置く。 
【００１１】
そのハンドル・レバー１５は、長いスチール・ロッドの一端にハンドル２６を曲げ加工し、そして、その長いスチール・ロッドの他端にＬ字形プレート２７を溶接し、そのＬ字形プレート２７でそのフック１２の根元に溶接され、縦方向に伸長されて使用される。勿論、そのハンドル・レバー１５では、レバー長さは、作業員が立ったままでその台車３０のそのキャスター３２にそのキャスター・キャッチ・ハンド１１をはめ外し易く、そして、その台車枠３１にそのフック１２を掛け外し易くするところの長さに設定される。 
【００１２】
したがって、このキャスター振れ止め装置１０は、工場でその四輪フリーのキャスター付き台車３０の４、５輌を連結し、そして、補給部品を乗せてけん引する際、２輌目以降のその台車３０のそれぞれにおいて進行方向で前輪になる左右のキャスター３２の一方にそのキャスター・キャッチ・ハンド１１をかませ、次に、そのハンドル・レバー１５でそのフック・リターン・スプリング１４に抗してそのフック１２を回転させてその台車枠３１にそのフック１２を掛けてその台車３０に取り付けられる。そのようにしてそのキャスター振れ止め装置１０は、ワンタッチでその台車３０のそのキャスター３２を振れ止めする。 
その２輌目以降の台車３０のそれぞれは、その左右のキャスター３２の一方がそのキャスター振れ止め装置１０で走行方向を進行方向に規制されるので、その先頭の台車３０が引っ張られると、その２輌目以降の台車３０は安定的に進行する。その結果、作業性が向上される。 
そのように、そのキャスター振れ止め装置１０が簡単な構造に具体化されてワンタッチでその台車３０に組み付けでき、その四輪フリーのキャスター付き台車３０にそのキャスター振れ止め装置１０を用いることによってそのキャスター付き台車３０の複数車輌が連結されて容易にけん引可能になり、けん引専用台車や乗せ変え専用台車を用意せずにそれらにその四輪フリーのキャスター付き台車３０が対応でき、そして、台車に凡用性が向上されてコスト削減が図られる。 
【００１３】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１４】
上述から理解されるように、この発明の台車に用いるキャスター振れ止め装置は、先端に二叉キャスター・キャッチを有し、そして、その二叉キャスター・キャッチに台車のキャスターをはめ込み可能にするＬ字形キャスター・キャッチ・ハンドと、その台車の台車枠に向かい合う側においてそのキャスター・キャッチ・ハンドの根元からその二叉キャスター・キャッチの根元側に伸び、支持軸でそのキャスター・キャッチ・ハンドのその根元に回転可能に連結されて上下方向に揺動可能にされ、そして、その台車枠に差し込まれてその台車枠にそのキャスター・キャッチ・ハンドを取り付け可能にするフックと、その支持軸に支持されて一端をそのキャスター・キャッチ・ハンドに、他端をそのフックにそれぞれ止めるフック・リターン・スプリングと、そのフックの根元に固定的に連結されてその台車のそのキャスターにそのキャスター・キャッチ・ハンドをはめ外し行い、そして、その台車枠にそのフックを掛け外し行うハンドル・レバーとを含むので、この発明の台車に用いるキャスター振れ止め装置では、簡単な構造に具体化でき、ワンタッチでその台車に組み付け可能になってその台車の四輪フリーの内で１個のキャスターの走行方向を進行方向に規制でき、その台車の複数車輌を連結して容易にけん引可能になり、けん引専用台車や乗せ変え専用台車を用意せずにその台車でそれらに対応でき、その台車に凡用性が向上されてコスト削減が図られ、そして、トラックに荷物を積み下ろしする作業や狭い場所で行われる作業が容易になり、その結果、四輪フリーのキャスター付き台車にとって非常に有用で実用的である。 
【図面の簡単な説明】
【００１５】
【図１】工場で四輪フリーのキャスター付き台車の４、５輌を連結し、そして、補給部品を乗せてけん引する際、２輌目以降のその台車に活用されるところのこの発明の台車に用いるキャスター振れ止め装置の具体例を示した側面図である。
【図２】Ｌ字形キャスター・キャッチ・ハンドおよびフックを示した正面図である。
【図３】そのＬ字形キャスター・キャッチ・ハンドおよびフックを示した側面図である。
【図４】フック・リターン・スプリングを示した斜視図である。
【図５】その台車のキャスターにそのＬ字形キャスター・キャッチ・ハンドをかませる状態でそのキャスター振れ止め装置を示した部分斜視図である。
【図６】その台車のキャスターにセットした状態でそのキャスター振れ止め装置を示した部分斜視図である。
【図７】その台車のキャスターにセットした状態でそのキャスター振れ止め装置を示した側面図である。
【符号の説明】
【００１６】
１１  Ｌ字形キャスター・キャッチ・ハンド 
１２  フック 
１３  支持軸 
１４  フック・リターン・スプリング 
１５  ハンドル・レバー 
２０  二叉キャスター・キャッチ 
２１  アーム 
２２  略長方形リング 
２３  短辺 
２４  長辺 
２５  軸受プレート 
２６  ハンドル 
２７  Ｌ字形プレート 
３０  台車 
３１  台車枠 
３２  キャスター 
【図１】
2005306128.tif 000003
【図２】
2005306128.tif 000004
【図３】
2005306128.tif 000005
【図４】
2005306128.tif 000006
【図５】
2005306128.tif 000007
【図６】
2005306128.tif 000008
【図７】
2005306128.tif 000009